(57)【要約】      （修正有）【課題】公共建築工事標準仕様書に沿ったカットオフ筋の必要長を容易に求める測定具を提供する。【解決手段】測定具１０は、複数の目盛りが記載された帯状のメジャー１２と、このメジャー１２が引き出し可能に巻き取られて収納された収納ケース２０と、を有する鋼製巻尺、所謂コンベックスルールである。メジャー１２には、メートル法に基づく長さの目盛り３０と、比率長（Ａ）を示す目盛り３２と、比率長（Ｂ）及び比率長（Ｃ）を示す目盛り３４と、比率長（Ｄ）を示す目盛り３６と、が記載されている。収納ケース２０の周面２２にはカットオフ筋計算式図が貼られている。収納ケース２０の第一側面２４には余長表が貼られている。収納ケース２０の第二側面２６には配筋図が貼られている。【選択図】図１
2019032170.tif 000002
【特許請求の範囲】
【請求項１】
長さの目盛と、前記目盛に対応する異なる複数のカットオフ筋の比率長と、が表示された帯状のメジャーと、
前記カットオフ筋の呼び名と前記呼び名に必要倍率を乗じた余長とを記載した余長表と、
を備えた測定具。
【請求項２】
前記比率長は、計算値以上になる幅で表示されている、
請求項１に記載の測定具。
【請求項３】
前記余長表で読み取る前記必要倍率による前記比率長に前記余長を加減する計算式が、異なる複数の前記比率長にそれぞれ対応して記載されたカットオフ筋計算式図と、
異なる複数の前記カットオフ筋が図示され、前記メジャーで読み取る前記比率長と前記カットオフ筋計算式図で適用する前記計算式とが示された配筋図と、
を備えた請求項１又は請求項２に記載の測定具。
【請求項４】
請求項３に記載の測定具を用いた梁又はスラブのカットオフ筋の必要長を算出する算出方法であって、
配筋図とメジャーとを用いて、部材間の内法寸法に対応する前記カットオフ筋の比率長を読み取る工程と、
前記配筋図と余長表とカットオフ筋計算式図とを用いて、前記カットオフ筋の呼び名に必要倍率を乗じた余長を読み取り、加減式に沿って前記比率長に読み取った前記余長を加減し、前記カットオフ筋の必要長を算出する工程と、
を備えたカットオフ筋の必要長の算出方法。
【発明の詳細な説明】
【技術分野】
【０００１】
本発明は、測定具及びカットオフ筋の必要長の算出方法に関する。
【背景技術】
【０００２】
特許文献１には、帯状のメジャーに関する技術が開示されている。この先行技術では、メジャーの幅方向両端に、長さを表示する目盛りと、直径を表示する目盛りを対比して配置している。
【０００３】
特許文献２には、スケールに関する技術が開示されている。この先行技術では、スケールに倍数別に固有のマークを有した等間隔の目盛りを表示している。
【０００４】
特許文献３には、大工等が建築現場等にて使用する巻尺に関する技術が開示されている。この先行技術では、帯状のメジャー本体の表側面に、メートル法等に基づく標準寸法線群を印刷し、裏側面には、縮尺寸法線群を印刷している。
【０００５】
特許文献４には、タンク内の液体を計量する際にタンク底から液面までの深さを計測するタンク測深ゲージに関する技術が開示されている。この先行技術では、タンクゲージの錘部の先端に長さ３０〜４０ｃｍ程度の細長い計測棒を軸心方向に突設し、当該計測棒に目盛りを刻設している。
【０００６】
なお、その他関連する技術が、特許文献５、特許文献６及び特許文献７に開示されている。
【先行技術文献】
【特許文献】
【０００７】
【特許文献１】実登３０３２６２２号
【特許文献２】実登３００３９８８号
【特許文献３】実登３０４９１６７号
【特許文献４】実公平７―５２５９０号
【特許文献５】実公平７―１２９０４号
【特許文献６】特開平８―２９７００２号公報
【特許文献７】特許５２４１１５２号
【発明の概要】
【発明が解決しようとする課題】
【０００８】
梁及びスラブ等に配筋されたカットオフ筋の必要長は、図面に指示がない場合、公共建築工事標準仕様書・建築工事編（国土交通省大臣官房官庁営繕部監修、一般社団法人公共建築協会）に沿って決められ、多くの場合に適用されている。
【０００９】
この公共建築工事標準仕様書に沿った必要長Ｌａを建設現場で図面から求めずにメジャーを用いる場合は、部材間（柱間、梁間及び柱梁間等）の梁又はスラブの内法寸法を測定し、この測定された内法寸法から必要長を計算して求める。
【００１０】
具体的には、必要長は、内法寸法にカットオフ筋が配筋された部位に対応した比率を乗じたカットオフ筋の比率長に、カットオフ筋の呼び名ｄにカットオフ筋が配筋された部位に対応した必要倍率Ｋを乗じた余長を、カットオフ筋が配筋された部位に対応した加減を行って求めている。
【００１１】
例えば、Ｌａ（必要長）＝Ｌ０（内法寸法）×１／４（比率）＋１５（必要倍率）×ｄ（呼び名）を計算して求めている。
【００１２】
この様に、公共建築工事標準仕様書に沿ったカットオフ筋の必要長を暗算で計算することは難しく、内法寸法を測定したり図面から読み取ったりしたのち、電卓等の電子機器を用いて計算する必要があり、施工管理や工事監理の上で多くの手間を要していた。
【００１３】
本発明は、上記事実を鑑み、公共建築工事標準仕様書に沿ったカットオフ筋の必要長を容易に求めることができる測定具を提供することが目的である。
【課題を解決するための手段】
【００１４】
請求項１の発明は、長さの目盛と、前記目盛に対応する異なる複数のカットオフ筋の比率長と、が表示された帯状のメジャーと、前記カットオフ筋の呼び名と前記呼び名に必要倍率を乗じた余長とを記載した余長表と、を備えた測定具である。
【００１５】
請求項１に記載の発明では、メジャーを用いて、部材間（梁間、柱間及び柱梁間等）の内法寸法に対応する梁又はスラブのカットオフ筋の比率長を読み取る。余長表を用いて、カットオフ筋の呼び名に必要倍率を乗じた余長を読み取る。読み取った比率長と余長とを加減し、カットオフ筋の必要長を算出する。
【００１６】
以上のように、公共建築工事標準仕様書に沿ったカットオフ筋の必要長を、図面から求めた部材間の内法寸法から電子機器を用いる必要がなく、一度の暗算（加減）で容易に求めることができる。
【００１７】
請求項２の発明は、前記比率長は、計算値以上になる幅で表示されている、請求項１に記載の測定具である。
【００１８】
請求項２に記載の発明では、メジャーに表示する比率長は、計算値以上になる幅、例えば、１ｃｍ又は０．５ｃｍ単位の幅で記載しているので、読み取りが容易である。
【００１９】
また、多少の測定誤差があっても比率長、最終的にカットオフ筋の必要長が短く求められることが抑制される。
【００２０】
なお、計算値とは、部材間（梁間、柱間及び柱梁間等）の内法寸法から計算して求められる比率長である。
【００２１】
請求項３の発明は、前記余長表で読み取る前記必要倍率による前記比率長に前記余長を加減する計算式が、異なる複数の前記比率長にそれぞれ対応して記載されたカットオフ筋計算式図と、異なる複数の前記カットオフ筋が図示され、前記メジャーで読み取る前記比率長と前記カットオフ筋計算式図で適用する前記計算式とが示された配筋図と、を備えた請求項１又は請求項２に記載の測定具である。
【００２２】
請求項３に記載の発明では、配筋図とメジャーとを用いて、部材間（梁間、柱間及び柱梁間等）の内法寸法に対応する梁又はスラブのカットオフ筋の比率長を読み取る。配筋図と余長表とカットオフ筋計算式図とを用いて、カットオフ筋の呼び名に必要倍率を乗じた余長を読み取り、比率長に加減式に従い読み取った余長を加減し、カットオフ筋の必要長を算出する。
【００２３】
以上のように、公共建築工事標準仕様書に沿ったカットオフ筋の必要長を、図面や電子機器等を用いることなく、建設現場にて容易に一度の暗算（加減）で求めることができる。
【００２４】
請求項４の発明は、請求項３に記載の測定具を用いた梁又はスラブのカットオフ筋の必要長を算出する算出方法であって、配筋図とメジャーとを用いて、部材間の内法寸法に対応する前記カットオフ筋の比率長を読み取る工程と、前記配筋図と余長表とカットオフ筋計算式図とを用いて、前記カットオフ筋の呼び名に必要倍率を乗じた余長を読み取り、加減式に沿って前記比率長に読み取った前記余長を加減し、前記カットオフ筋の必要長を算出する工程と、を備えたカットオフ筋の必要長の算出方法。
【００２５】
請求項４に記載の発明では、配筋図とメジャーとを用いて、部材間（梁間、柱間及び柱梁間等）の内法寸法に対応する梁又はスラブのカットオフ筋の比率長を読み取る。配筋図と余長表とカットオフ筋計算式図とを用いて、カットオフ筋の呼び名に必要倍率を乗じた余長を読み取り、比率長に加減式に従い読み取った余長を加減し、カットオフ筋の必要長を算出する。
【００２６】
以上のように、公共建築工事標準仕様書に沿ったカットオフ筋の必要長を、図面や電子機器等を用いることなく、建設現場にて容易に一度の暗算（加減）で求めることができる。
【発明の効果】
【００２７】
本発明によれば、公共建築工事標準仕様書に沿ったカットオフ筋の必要長を容易に求めることができる。
【図面の簡単な説明】
【００２８】
【図１】本発明の一実施形態の測定具をＺ方向から見た平面図である。
【図２】図１の拡大平面図である。
【図３】本発明の一実施形態の測定具の収納ケースの第一側面をＹ方向から見た側面図である。
【図４】本発明の一実施形態の測定具の収納ケースの第二側面をＹ方向から見た側面図である。
【図５】配筋図の右上図の第一パターンのカットオフ筋の説明図である。
【図６】配筋図の左上図の第二パターンのカットオフ筋の説明図である。
【図７】配筋図の右下図の第三パターンのカットオフ筋の説明図である。
【図８】配筋図の左下図の第四パターンのカットオフ筋の説明図である。
【図９】変形例の測定具をＺ方向から見た平面図である。
【図１０】（Ａ）は、柱から延びるカットオフ筋を模式的に示すＺ方向から見た配筋図であり、（Ｂ）は、柱と柱の中間に配筋されたカットオフ筋を模式的に示すＺ方向から見た配筋図である。
【発明を実施するための形態】
【００２９】
＜実施形態＞
本発明の一実施形態に係る測定具について説明する。
【００３０】
［構造］
本実施形態の測定具の構造について説明する。なお、後述するメジャー１２の引き出し及び巻き取り方向をＸ方向として矢印Ｘで示し、メジャー１２の巻取軸方向をＹ方向として矢印Ｙで示し、Ｘ方向とＹ方向とに直交する方向をＺ方向とし、矢印Ｚで示す。
【００３１】
図１〜図４に示す本実施形態の測定具１０は、複数の目盛りが記載された帯状のメジャー１２と、このメジャー１２が引き出し可能に巻き取られて収納された収納ケース２０と、を有する鋼製巻尺、所謂コンベックスルールである。なお、図１及び図２は、メジャー１２が引き出された状態の図であり、図３及び図４は、メジャー１２が巻き取られ、収納ケース２０に収納された状態の図である。
【００３２】
収納ケース２０におけるメジャー１２が引き出される開口部（図示略）が形成された面を周面２２とし、周面２２の両側の面を第一側面２４（図１、図２及び図３）及び第二側面２６（図１、図２及び図４）とする。
【００３３】
図３及び図４に示すように、収納ケース２０の周面２２には、レバー１４が設けられている。レバー１４は収納ケース２０に巻き取ろうとするメジャー１２を固定する機能があり、レバー１４を周面２２に沿ってスライドさせると、メジャー１２が巻き取られるようになっている。なお、図１及び図２では、レバー１４を図示していない。
【００３４】
図１及び図２に示すように、メジャー１２には、メートル法に基づく長さの目盛り３０と、比率長（Ａ）を示す目盛り３２と、比率長（Ｂ）及び比率長（Ｃ）を示す目盛り３４と、比率長（Ｄ）を示す目盛り３６と、が記載されている。長さの目盛り３０における数字が記載されている大目盛りはｃｍ単位であり、数字の間の小目盛りは１ｍｍ単位である。比率長（Ａ）、比率長（Ｂ）、比率長（Ｃ）及び比率長（Ｄ）については、後述する。
【００３５】
図１及び図２に示すように、収納ケース２０の周面２２には、カットオフ筋計算式図５０が貼られている。なお、本実施形態のカットオフ筋計算式図５０は、収納ケース２０の周面２２におけるメジャー１２とレバー１４との間の領域２２Ａ（図３を参照）に貼られており、Ｚ方向から見た場合は、このようには見えないが、判り易くする等のため、このように図示している。図３に示すように、収納ケース２０の第一側面２４には、余長表６０が貼られている。図４に示すように、収納ケース２０の第二側面２６には、配筋図７０が貼られている。また、第二側面２６には、利用手順書８０も貼られている。なお、カットオフ筋計算式図５０、余長表６０及び配筋図７０については、後述する。
【００３６】
［カットオフ筋］
ここで、カットオフ筋について簡単に説明する。
【００３７】
図１０（Ａ）及び図１０（Ｂ）に示すように、カットオフ筋７００、７０２は、梁６００やスラブ（図示略）における上端部分や下端部分に、スパンの中間で止める鉄筋である（後述する図５〜図８も参照）。トップ筋、二段筋及び中央筋等と呼ばれることもある。
【００３８】
なお、図１０（Ａ）のように柱６１０から延びて途中で止まるように配筋されたカットオフ筋７００や図１０（Ｂ）のように柱６１０間の中間に配筋されたカットオフ筋７０２等がある（後述する図５〜図８も参照）。
【００３９】
更に、カットオフ筋７００、７０２は、梁６００やスラブ（図示略）を横から見た場合、主筋７１０と同じ高さにあり主筋７１０と重なるように配筋される場合や主筋７１０と違う高さにあり主筋７１０と重ならないように配筋される場合がある。なお、後述する図５〜図８では、後者の主筋と重ならないように配筋されたカットオフ筋で図示しているが、これに限定されるものではない。主筋と同じ高さにあり主筋と重なるカットオフ筋でも同様に本発明を適用できる。
【００４０】
［カットオフ筋の必要長］
次に、公共建築工事標準仕様書・建築工事編（国土交通省大臣官房官庁営繕部監修、一般社団法人公共建築協会）に沿ったカットオフ筋の必要長Ｌａ及び離れ長Ｌｈについて説明する。
【００４１】
必要長Ｌａは、梁又はスラブに配筋するカットオフ筋の軸方向の必要な長さであり、離れ長は、梁又はスラブの中央に配筋するカットオフ筋における部材（柱又は梁）からの長さ（距離）である。
【００４２】
この公共建築工事標準仕様書に沿った必要長Ｌａ及び離れ長Ｌｈは、部材間（柱間、梁間及び柱梁間等）の梁又はスラブの内法寸法Ｌ０や呼び名（主筋径）等から求められる。
【００４３】
具体的には、必要長Ｌａ及び離れ長Ｌｈは、内法寸法Ｌ０にカットオフ筋が配筋された部位に対応した比率（ｎ／ｍ）を乗じたカットオフ筋の比率長Ｌｂに、カットオフ筋の呼び名ｄにカットオフ筋が配筋された部位に対応した必要倍率Ｋを乗じた余長ΔＬを、カットオフ筋が配筋された部位に対応した加減（足し算又は引き算）を行って求めている。
【００４４】
数式で表すと、
必要長Ｌａ＝比率長Ｌｂ＋余長ΔＬ
離れ長Ｌｈ＝比率長Ｌｂ−余長ΔＬ
で求められる。
【００４５】
なお、
比率長Ｌｂ＝内法寸法Ｌ０×比率ｎ／ｍ
であり、
余長ΔＬ＝必要倍率Ｋ×呼び名ｄ
である。
【００４６】
次に、カットオフ筋が配筋された部位に対応した必要長Ｌａ及び離れ長Ｌｈの計算方法を詳しく説明する。
【００４７】
図５は、梁又は柱である部材２１０の間に架設された梁１５０及びカットオフ筋１００、１０２、１０４を模式的に示す図である。なお、この図は、図４の配筋図７０の右上の図に対応する。
カットオフ筋１００、１０２の必要長Ｌａを求めるための比率長Ｌｂは１／４×Ｌ０であり、加える余長ΔＬは１５ｄである。
カットオフ筋１０４の必要長Ｌａを求めるための比率長Ｌｂは１／２×Ｌ０であり、加える余長ΔＬは４０ｄ（２０ｄ＋２０ｄ）である。
また、カットオフ筋１０４の離れ長Ｌｈを求めるための比率長Ｌｂは１／４×Ｌ０であり、減ずる余長ΔＬは２０ｄである。
【００４８】
図６は、梁又は柱である部材２１０と梁２１２との間に架設された梁１５２及びカットオフ筋１１０、１１２を模式的に示す図である。なお、この図は、図４の配筋図７０の左上の図に対応する、
カットオフ筋１１０の必要長Ｌａを求めるための比率長Ｌｂは１／４×Ｌ０であり、加える余長ΔＬは１５ｄである。
カットオフ筋１１２の必要長Ｌａを求めるための比率長Ｌｂは７／１２×Ｌ０であり、加える余長ΔＬは４０ｄ（２０ｄ＋２０ｄ）である。
また、カットオフ筋１１２の一方の離れ長Ｌｈ２を求めるための比率長Ｌｂは１／４×Ｌ０であり、減ずる余長ΔＬは２０ｄである。なお、カットオフ筋１１２の他方の離れ長Ｌｈ１は、Ｌ０−Ｌａ−Ｌｈ２である。
【００４９】
図７は、梁２２０間に架設されたスラブ１６０及びカットオフ筋１２０、１２２、１２４を模式的に示す図である。なお、この図は、図４の配筋図７０の右下の図に対応する、
カットオフ筋１２０、１２２の必要長Ｌａを求めるための比率長Ｌｂは、１／４×Ｌ０であり、加える余長ΔＬは１５ｄである。
カットオフ筋１２４の必要長Ｌａを求めるための比率長Ｌｂは１／４×Ｌ０であり、加える余長ΔＬは３０ｄ（１５ｄ＋１５ｄ）である。
また、カットオフ筋１２４の離れ長Ｌｈを求めるための比率長Ｌｂは１／４×Ｌ０であり、減ずる余長ΔＬは１５ｄである。
【００５０】
図８は、梁２２０と梁２２２との間に架設された梁（単独小梁）１５４及びカットオフ筋１３０を模式的に示す図である。なお、この図は、図４の配筋図７０の左下の図に対応する。
カットオフ筋１３０の必要長Ｌａを求めるための比率長Ｌｂは、２／３×Ｌ０であり、加える余長ΔＬは４０ｄ（２０ｄ＋２０ｄ）である。
なお、カットオフ筋１３０の離れ長Ｌｈは、（Ｌ０−Ｌａ）／２である
【００５１】
［比率長、カットオフ筋計算式図、余長表及び配筋図］
つぎに、比率長（Ａ）、比率長（Ｂ）、比率長（Ｃ）及び比率長（Ｄ）と、収納ケース２０に貼られたカットオフ筋計算式図５０、余長表６０及び配筋図７０について説明する。
【００５２】
図１及び図２に示すメジャー１２の目盛り３２に記載された比率長（Ａ）は、２／３×Ｌ０の目盛りが記載されている。つまり、目盛り３０の長さの目盛りの２／３の値が記載されている。なお、比率長（Ａ）は、計算値以上になる幅で表示されている。本実施形態では、１ｃｍ単位に繰り上げて丸めた幅で記載している。なお、「計算値」については後述する。
【００５３】
メジャー１２の目盛り３４に記載された比率長（Ｂ）は、１／４×Ｌ０の目盛りが記載されている。つまり、目盛り３０の長さの目盛りの１／４の値が記載されている。なお、同様に比率長（Ｂ）は、計算値以上になる幅で表示され、本実施形態では、１ｃｍ単位に繰り上げて丸めた幅で記載している。また、目盛り３４の丸括弧は、比率長（Ｃ）の目盛りであり、１／２×Ｌ０の目盛りが記載されている。つまり、目盛り３０の長さの目盛りの１／２の目盛りが記載されている。なお、同様に、比率長（Ｃ）は、計算値以上になる幅で表示され、本実施形態では、２ｃｍ単位に繰り上げて丸めた幅で記載している。
【００５４】
メジャー１２の目盛り３６に記載された比率長（Ｄ）は、７／１２×Ｌ０の目盛りが記載されている。つまり、目盛り３０の７／１２の目盛りが記載されている。なお、同様に、比率長（Ｄ）は、計算値以上になる幅で表示され、本実施形態では、０．５ｃｍ単位に繰り上げて丸めた幅で記載している。
【００５５】
図４に示す配筋図７０は、前述した図５〜図８の各図がまとめて図示されている。各図にはカットオフ筋１００、１０２、１０４（図５参照）、１１０、１１２（図６参照）、１２０、１２２、１２４（図７参照）、１３０（図８参照）のそれぞれの必要長Ｌａ及び離れ長Ｌｈを図示し、それぞれに記号「■」、「◆」、「●」、「○」、「◎」、「★」及び「☆」の各印を付している。
【００５６】
図３に示す余長表６０は、各カットオフ筋の呼び名（主筋径）ｄと必要倍率Ｋとを掛け合わせた余長ΔＬの一覧表である。
【００５７】
図１及び図２に示すカットオフ筋計算式図５０は、図４の配筋図７０に図示された各カットオフ筋の必要長Ｌａ及び離れ長Ｌｈの計算式を図示している。これは、各カットオフ筋に付した各記号「■」、「◆」、「●」、「○」、「◎」、「★」及び「☆」の各印で示している。
【００５８】
更に、各計算式は、メジャー１２の比率長（Ａ）、比率長（Ｂ）及び比率長（Ｃ）に対応して図示されている。具体的には、比率長（Ａ）の横には、２／３×Ｌ０の●印に対応する計算式が図示されている。比率長（Ｂ）の横には、１／４×Ｌ０の■印、▲印、◆印、★印及び☆印に対応する計算式と、１／２×Ｌ０の○印に対応する計算式と、が図示されている。比率長（Ｄ）の横には、７／１２×Ｌ０の◎印に対応する計算式が図示されている。
【００５９】
［測定具の使用方法］
本実施形態の測定具の使用方法、つまり、配筋後に建設現場での必要長Ｌａ及び離れ長Ｌｈの求め方について、図４の配筋図７０の右上図（図５に対応）の梁１５０に配筋したカットオフ筋１００、１０２（図５参照）を例にとって説明する。
【００６０】
配筋図７０（図４参照）から対応するカットオフ筋１００、１０２（図５参照）を見つける。
【００６１】
梁１５０（図５参照）の内法寸法Ｌ０に対応する比率長（Ｂ）、つまり目盛り３４の１／４目盛りを読み取る。また、カットオフ筋の呼び名（ｄ）を目視で確認する。
【００６２】
また、配筋図７０（図４参照）、カットオフ筋計算式図５０（図２参照）及び余長表６０（図３参照）から該当する呼び名（ｄ）に対応する余長ΔＬを読み取る。
【００６３】
カットオフ筋計算式図５０からカットオフ筋１００、１０２の必要長Ｌａを暗算して求める。
【００６４】
例えば、呼び名Ｄ２２とした場合、余長ΔＬは、１５ｄとＤ２２との組み合わせの３３ｃｍとなる。また、内法寸法（実長目盛）が７５０ｃｍである場合で、比率長（Ｂ）の値（１／４×Ｌ０）が１８８ｃｍであるとする。この場合、行う暗算は「１８８ｃｍ＋３３ｃｍ」であり、その答え「２２１ｃｍ」が必要長Ｌａである。
【００６５】
［作用及び効果］
次に、作用及び効果について説明する。
【００６６】
前述したように、配筋図７０とメジャー１２とを用いて、部材間（梁間、柱間及び柱梁間等）の内法寸法Ｌ０に対応する梁又はスラブのカットオフ筋の比率長Ｌｂを読み取る。配筋図７０と余長表６０とカットオフ筋計算式図５０とを用いて、カットオフ筋の呼び名ｄに必要倍率Ｋを乗じた余長ΔＬを読み取り、比率長Ｌｂにカットオフ筋計算式図５０の計算式（加減式）に従い読み取った余長ΔＬを加減し、カットオフ筋の必要長Ｌａ及び離れ長Ｌｈを算出する。
【００６７】
以上のように、公共建築工事標準仕様書に沿ったカットオフ筋の必要長Ｌａ及び離れ長Ｌｈを、図面や電子機器等を用いることなく、建設現場にて容易に一度の暗算（加減）で求めることができる。
【００６８】
また、本実施形態のメジャー１２に表示する比率長Ｌｂは、計算値以上になる幅、本実施形態では、２ｃｍ、１ｃｍ又は０．５ｃｍ単位の幅で記載しているので、読み取りが容易である。
【００６９】
また、多少の測定誤差があっても比率長、最終的にカットオフ筋の必要長が短く求められることが抑制される。
【００７０】
なお、計算値とは、部材間（梁間、柱間及び柱梁間等）の内法寸法Ｌ０から計算して求められる比率長である。例えば、Ｌ０が７４９ｃｍの場合、１／４×Ｌ０の計算値は、１８７．２５ｃｍであり、メジャー１２での比率長（Ｂ）Ｌｂでは１８８ｃｍと読み取られる。
【００７１】
＜その他＞
尚、本発明は上記実施形態に限定されない。
【００７２】
例えば、上記実施形態では、カットオフ筋計算式図５０、余長表６０及び配筋図７０は、収納ケース２０に接着剤や両面テープ等で貼られていたが、これに限定されない。収納ケース２０に透明ケースを貼り付け、その透明ケースにカットオフ筋計算式図５０、余長表６０及び配筋図７０を差し込むようにしてもよい。つまり、カットオフ筋計算式図５０、余長表６０及び配筋図７０は、収納ケース２０に対して着脱可能に構成されていてもよい。
【００７３】
また、カットオフ筋計算式図５０、余長表６０及び配筋図７０は、収納ケース２０に貼られておらず、別途、例えばクリアケース等に入れてあってもよい。また、例えば、カットオフ筋計算式図５０及び余長表６０はクリアケースに入れ、カットオフ筋計算式図５０は収納ケース２０に貼られていてもよい。
【００７４】
また、余長表６０のみを有していればよい。言い換えると、カットオフ筋計算式図５０及び配筋図７０は必須ではない。
【００７５】
また、上記実施形態では、メジャー１２は、引き出し可能に巻き取られ、収納ケース２０に収納されていたが、これに限定されない。メジャー１２単体であってもよい。
【００７６】
また、上記実施形態では、記号「■」、「◆」、「●」、「○」、「◎」、「★」及び「☆」で記載されているが、色で区別してもよい。更に、メジャー１２には、メートル法に基づく長さの目盛り３０と、比率長（Ａ）を示す目盛り３２と、比率長（Ｂ）及び比率長（Ｃ）を示す目盛り３４と、比率長（Ｄ）を示す目盛り３６と、の各目盛りもそれぞれ対応して色分けされていてもよい。
【００７７】
また、上記実施形態では、メジャー１２には、メートル法に基づく長さの目盛り３０と、比率長（Ａ）を示す目盛り３２と、比率長（Ｂ）及び比率長（Ｃ）を示す目盛り３４と、比率長（Ｄ）を示す目盛り３６と、が記載されていたが、これに限定されない。比率長（Ａ）、比率長（Ｂ）、比率長（Ｃ）及び比率長（Ｄ）の少なくとも一つが記載されていればよい。
【００７８】
また、比率長は、計算値以上になる幅で表示されていなくてもよい。例えば、図９の測定具５００のように、実長目盛り３０の３／２を記載した目盛り５３２、１／４を記載した目盛りの５３４及び７／１２を記載した目盛りの５３６であってもよい。
【００７９】
更に、本発明の要旨を逸脱しない範囲において種々なる態様で実施し得る。
【００８０】
＜参考例＞
次に参考例の測定具について説明する。
【００８１】
上記実施形態では、帯状のメジャー１２で測定し、カットオフ筋計算式図５０、余長表６０及び配筋図７０を使用して必要長Ｌａを暗算で求めていた。つまり、電子機器を用いないで必要長Ｌａを求めていた。
【００８２】
これに対して参考例の測定具は、電子機器を利用している。
【００８３】
利用例としては、
レーザー距離計やホイール距離計等のような電子距離計を用いて比率長（Ａ）、比率長（Ｂ）、比率長（Ｃ）及び比率長（Ｄ）を表示する測定具、
タブレット端末等の携帯情報端末にカットオフ筋計算式図５０、余長表６０及び配筋図７０の機能を持たせたている測定図、
比率長（Ａ）、比率長（Ｂ）、比率長（Ｃ）及び比率長（Ｄ）を表示する電子距離計に、更にカットオフ筋計算式図５０、余長表６０及び配筋図７０の機能を持たせ、必要な情報を入力しＬ０を測定すると、必要長Ｌａが表示される測定具、
等が挙げられる。
【符号の説明】
【００８４】
１０      測定具
１２      メジャー
５０      カットオフ筋計算式図
６０      余長表
７０      配筋図
【図１】
2019032170.tif 000003
【図２】
2019032170.tif 000004
【図３】
2019032170.tif 000005
【図４】
2019032170.tif 000006
【図５】
2019032170.tif 000007
【図６】
2019032170.tif 000008
【図７】
2019032170.tif 000009
【図８】
2019032170.tif 000010
【図９】
2019032170.tif 000011
【図１０】
2019032170.tif 000012